【手続補正書】
【提出日】平成18年2月28日(2006.2.28)
【手続補正１】
【補正対象書類名】明細書
【補正対象項目名】特許請求の範囲
【補正方法】変更
【補正の内容】
【特許請求の範囲】
【請求項１】
遊技盤に形成された開口部に対して裏面側から取り付けられて識別情報を表示可能な表示部を有する画像表示装置と、前面側から取り付けられて前記表示部を臨ませる開口窓部を有する画像表示装置用前面構成部材とを備え、
前記画像表示装置は、前記表示部を構成する液晶表示パネルと、前記液晶表示パネルに対して左右方向に配設される光源部と、前記液晶表示パネルの裏面に配設され、前記光源部からの光を左眼用の光と右眼用の光とに屈折させて前記液晶表示パネルに照射するフレネルレンズとを備え、
前記画像表示装置用前面構成部材は、前記画像表示装置の前記光源部による光の照射角が大きく、その照射中央領域に相当する部位から遠い位置となり、前記表示部で光度が相対的に低い端部領域を覆うための覆い部材を備えたことを特徴とする遊技機。
【請求項２】
前記画像表示装置用前面構成部材は、前記遊技盤に取り付けるための取付ベース部材を設けると共に、前記取付ベース部材の略中央部分に、前記取付ベース部材の後方に突出して前面が開口され後面に前記開口窓部が形成された凹室を構成し、
前記覆い部材は、前記開口窓部を形成する凹室の壁部により構成したことを特徴とする請求項１に記載の遊技機。
【請求項３】
前記画像表示装置用前面構成部材は、前記遊技盤に取り付けるための取付ベース部材を設けると共に、前記取付ベース部材の略中央部分に、前記取付ベース部材の後方に突出して前面が開口され後面に前記開口窓部が形成された凹室を構成し、
前記凹室の前記開口窓部の前側に前記覆い部材を配設するようにしたことを特徴とする請求項１に記載の遊技機。
【請求項４】
前記覆い部材は、前記表示部の一部が臨む特別開口部を形成し、
前記画像表示装置は、前記特別開口部に対応する位置に特定情報を表示するようにしたことを特徴とする請求項１〜３のいずれか一つに記載の遊技機。
【請求項５】
前記開口窓部の前側に遊技球が流下可能な流下路を備え、
前記流下路を前記覆い部材として、前記表示部の左端部領域および右端部領域に設けたことを特徴とする請求項１〜３のいずれか一つに記載の遊技機。
【手続補正２】
【補正対象書類名】明細書
【補正対象項目名】０００９
【補正方法】変更
【補正の内容】
【０００９】
【課題を解決するための手段】
第１の発明は、遊技盤に形成された開口部に対して裏面側から取り付けられて識別情報を表示可能な表示部を有する画像表示装置と、前面側から取り付けられて前記表示部を臨ませる開口窓部を有する画像表示装置用前面構成部材とを備え、前記画像表示装置は、前記表示部を構成する液晶表示パネルと、前記液晶表示パネルに対して左右方向に配設される光源部と、前記液晶表示パネルの裏面に配設され、前記光源部からの光を左眼用の光と右眼用の光とに屈折させて前記液晶表示パネルに照射するフレネルレンズとを備え、前記画像表示装置用前面構成部材は、前記画像表示装置の前記光源部による光の照射角が大きく、その照射中央領域に相当する部位から遠い位置となり、前記表示部で光度が相対的に低い端部領域を覆うための覆い部材を備える。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】変更
【補正の内容】
【００１６】
第４の発明は、第１〜第３の発明において、前記覆い部材は、前記表示部の一部が臨む特別開口部を形成し、前記画像表示装置は、前記特別開口部に対応する位置に特定情報を表示するようにする。
【手続補正８】
【補正対象書類名】明細書
【補正対象項目名】００１７
【補正方法】変更
【補正の内容】
【００１７】
第５の発明は、第１〜第３の発明において、前記開口窓部の前側に遊技球が流下可能な流下路を備え、前記流下路を前記覆い部材として、前記表示部の左端部領域および右端部領域に設けた。
【手続補正９】
【補正対象書類名】明細書
【補正対象項目名】００１８
【補正方法】変更
【補正の内容】
【００１８】
【発明の効果】
第１の発明では、表示は行えるものの、画像表示装置における光度の相対的に低い表示部の端部領域を覆うための覆い部材を備えるので、画像表示装置の画面の一部が暗くなっていたり、一部に色むら等が現れたりするのを防止でき、不自然さを与えることはない。したがって、立体画像表示を良好に行える遊技機を実現できる。
【手続補正１０】
【補正対象書類名】明細書
【補正対象項目名】００１９
【補正方法】変更
【補正の内容】
【００１９】
第２及び第３の発明では、簡単な構成によって、画像表示装置の画面の一部が暗くなっていたり、色むら等が現れたりするのを防止でき、不自然さを回避できる。
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】変更
【補正の内容】
【００２１】
第４の発明では、覆い部材が無い場合には、特別開口部に相当する位置での表示は、明るい部分とつながって表示されるので暗さ（および色むら）が目立ちかねないが、このように覆い部材に画像表示装置の表示部の一部が臨む特別開口部を形成することによって、比較的暗くても明るい領域と区画されているので、暗さ（および色むら）が目立たずに各種表示を強調した表示で見せることができる。
【手続補正１３】
【補正対象書類名】明細書
【補正対象項目名】００２２
【補正方法】変更
【補正の内容】
【００２２】
第５の発明では、流下路によって、遊技球の転動を豊かに演出しつつ、画像表示装置の画面の一部が暗くなっていたり、色むら等が現れたりするのを防止して、不自然さを回避することができる。
【手続補正１４】
【補正対象書類名】明細書
【補正対象項目名】０１３０
【補正方法】変更
【補正の内容】
【０１３０】
本発明の観点の代表的なものとして、特許請求の範囲に記載したもの以外に次のものがあげられる。
（１）前記覆い部材は、前記表示部の上端部領域および下端部領域に設けられる。
（２）前記覆い部材は、前記表示部の左端部領域および右端部領域に設けられる。
（３）前記覆い部材は、前記表示部の四隅端部領域にのみ設けられる。
（１）〜（３）のようにすると、簡単な構成によって、画像表示装置の画面の一部が暗くなっていたり、色むら等が現れるのを防止でき、不自然さを回避できる。
（４）前記覆い部材は、半透明に形成する。このようにすると、画像表示装置の画面の一部が暗くなっていたり、色むら等が現れたりしても、不自然さを与えにくくなる。
また、今回開示された実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。